(57)【要約】【課題】階間部における施工現場での断熱材の充填を不要となし得る外壁の階間構造およびその施工方法を提供する。【解決手段】階間部Ｍの水切りをなす階間部材１０と、階間部材１０の下部に配設される水切部材２０と、階間部Ｍの断熱をなす断熱材３０とを備えてなる外壁の階間構造であって、断熱材３０が、繊維状断熱材３０とされて階間部材１０の本体１１を構成する分割体１２裏面にセットされてなるものである。【選択図】図１
2008144351.tif 000002
【特許請求の範囲】
【請求項１】
階間部の水切りをなす階間部材と、該階間部材の下部に配設される水切部材と、階間部の断熱をなす断熱材とを備えてなる外壁の階間構造であって、
前記階間部材が、板を折り曲げ成形してなる分割体からなる本体と、板を折り曲げ成形してなるコーナー部材とを含み、
前記水切部材が、板を折り曲げ成形してなる非開口用水切部材と、板を折り曲げ成形してなる開口用水切部材とを含み、
前記断熱材が、繊維状断熱材とされて前記分割体裏面にセットされてなる
ことを特徴とする外壁の階間構造。
【請求項２】
分割体が上階の外張断熱材の下端部を挟持する挟持機構を備えてなることを特徴する請求項１記載の外壁の階間構造。
【請求項３】
分割体が、階間部を貫通する配管の貫通をガイドするガイド部材を有してなることを特徴する請求項１記載の外壁の階間構造。
【請求項４】
ガイド部材の室外側端部に、内側シール部材および／または外側シール部材が配設されてなることを特徴する請求項３記載の外壁の階間構造。
【請求項５】
分割体が、換気フードを装着するための換気フード用開口と、前記換気フード用開口の上方に開口を有する室内側ダクトとを備えてなることを特徴する請求項１記載の外壁の階間構造。
【請求項６】
非開口用水切部材が、下階の外壁パネルの通気層上端に被るようにされた面を有し、当該面に通気孔が設けられてなることを特徴とする請求項１記載の外壁の階間構造。
【請求項７】
開口用水切部材が、下階の外壁パネルの通気層上端に被るようにされた面から起立してなる起立面を有し、当該起立面に脱湿孔が設けられてなることを特徴とする請求項１記載の外壁の階間構造。
【請求項８】
分割体の端部を重ね合わせて接合することにより本体が形成されてなることを特徴とする請求項１記載の外壁の階間構造。
【請求項９】
分割体裏面の所定範囲に止水材が配設されてなることを特徴とする請求項１記載の外壁の階間構造。
【請求項１０】
コーナー部材裏面の所定範囲に止水材が配設されてなることを特徴とする請求項１記載の外壁の階間構造。
【請求項１１】
階間部の水切りをなす階間部材と、該階間部材の下部に配設される水切部材と、階間部の断熱をなす断熱材とを備えてなる外壁の階間構造の施工方法であって、
外壁の一方の面の階間部に繊維状断熱材が裏面にセットされた本体の分割体を、端部の重ね合わせ方向を一定方向として順次重ね合わせながら階間部にセットするとともに、前記重ね合わせられた端部を接合する手順と、
前記一方の面と交わる他方の面の階間部に繊維状断熱材が裏面にセットされた本体の分割体を、端部の重ね合わせ方向を前記一定方向に合わせて順次重ね合わせながら階間部にセットするとともに、前記重ね合わせられた端部を接合する手順と、
前記一方の面の分割体端部にコーナー部材の一方の端部を重ね合わせて接合し、前記他方に面の分割体端部にコーナー部材の他方の端部を重ね合わせて接合する手順
とを含んでいることを特徴とする外壁の階間構造の施工方法。
【請求項１２】
分割体が繊維状断熱材を受ける受け具を一端部の下部に有し、該受け具の中心を外壁のモジュール芯に一致させて分割体をセットすることを特徴とする請求項１１記載の外壁の階間構造の施工方法。
【発明の詳細な説明】
【技術分野】
【０００１】
本発明は外壁の階間構造およびその施工方法に関する。さらに詳しくは、施工が簡素化される外壁の階間構造およびその施工方法に関する。
【背景技術】
【０００２】
従来より、住宅の断熱性能を向上させる観点から、住宅においては外壁と内壁との間に断熱材が充填されている。この断熱材のうち外壁パネルと内壁との間に充填されるものは、パネル化工法が適用された住宅にあっては、工場にて外壁パネルにセッティングがなされ施工の簡素化が図られている。
【０００３】
しかしながら、この断熱材の充填は、一階と二階との間などの階間部（胴差部）にあっては、現場にて施工がなされている。また、この施工は、概ね、次のようにしてなされている。
【０００４】
まず、胴差部に断熱材を充填し、ついで階間水切部材をセットして断熱材を覆い、しかる後、階間水切部材同士を接合部材により接合する、といった手順によりなされている。
【０００５】
そのため、施工が煩雑であるばかりでなく、工期の長期化および施工コストの増大も招来している。
【発明の開示】
【発明が解決しようとする課題】
【０００６】
本発明はかかる従来技術の課題に鑑みなされたものであって、階間部における施工現場での断熱材の充填を不要となし得る外壁の階間構造およびその施工方法を提供することを目的としている。
【課題を解決するための手段】
【０００７】
本発明の外壁の階間構造は、階間部の水切りをなす階間部材と、該階間部材の下部に配設される水切部材と、階間部の断熱をなす断熱材とを備えてなる外壁の階間構造であって、前記階間部材が、板を折り曲げ成形してなる分割体からなる本体と、板を折り曲げ成形してなるコーナー部材とを含み、前記水切部材が、板を折り曲げ成形してなる非開口用水切部材と、板を折り曲げ成形してなる開口用水切部材とを含み、前記断熱材が、繊維状断熱材とされて前記分割体裏面にセットされてなることを特徴とする。
【０００８】
本発明の外壁の階間構造においては、分割体が上階の外張断熱材の下端部を挟持する挟持機構を備えてなるのが好ましい。
【０００９】
また、本発明の外壁の階間構造においては、分割体が、階間部を貫通する配管の貫通をガイドするガイド部材を有してなるのが好ましい。
【００１０】
さらに、本発明の外壁の階間構造においては、ガイド部材の室外側端部に、内側シール部材および／または外側シール部材が配設されてなるのが好ましい。
【００１１】
さらに、本発明の外壁の階間構造においては、分割体が、換気フードを装着するための換気フード用開口と、前記換気フード用開口より上方に開口を有する室内側ダクトとを備えてなるのが好ましい。
【００１２】
さらに、本発明の外壁の階間構造においては、非開口用水切部材が、下階の外壁パネルの通気層上端に被るようにされた面を有し、当該面に通気孔が設けられてなるのが好ましい。
【００１３】
さらに、本発明の外壁の階間構造においては、開口用水切部材が、下階の外壁パネルの通気層上端に被るようにされた面から起立してなる起立面を有し、当該起立面に脱湿孔が設けられてなるのが好ましい。
【００１４】
さらに、本発明の外壁の階間構造においては、分割体の端部を重ね合わせて接合することにより本体が形成されてなるのが好ましい。
【００１５】
さらに、本発明の外壁の階間構造においては、分割体裏面の所定範囲に止水材が配設されてなるのが好ましい。
【００１６】
さらに、本発明の外壁の階間構造においては、コーナー部材裏面の所定範囲に止水材が配設されてなるのが好ましい。
【００１７】
一方、本発明の外壁の階間構造の施工方法は、階間部の水切りをなす階間部材と、該階間部材の下部に配設される水切部材と、階間部の断熱をなす断熱材とを備えてなる外壁の階間構造の施工方法であって、
外壁の一方の面の階間部に繊維状断熱材が裏面にセットされた本体の分割体を、端部の重ね合わせ方向を一定方向として順次重ね合わせながら階間部にセットするとともに、前記重ね合わせられた端部を接合する手順と、
前記一方の面と交わる他方の面の階間部に繊維状断熱材が裏面にセットされた本体の分割体を、端部の重ね合わせ方向を前記一定方向に合わせて順次重ね合わせながら階間部にセットするとともに、前記重ね合わせられた端部を接合する手順と、
前記一方の面の分割体端部にコーナー部材の一方の端部を重ね合わせて接合し、前記他方に面の分割体端部にコーナー部材の他方の端部を重ね合わせて接合する手順
とを含んでいることを特徴とする。
【００１８】
本発明の外壁の階間構造の施工方法においては、分割体が繊維状断熱材を受ける受け具を一端部の下部に有し、該受け具の中心を外壁のモジュール芯に一致させて分割体をセットするのが好ましい。
【発明の効果】
【００１９】
本発明によれば、階間部に階間部材の本体を構成している分割体を階間部にセットすると同時に階間部の断熱がなし得るという優れた効果が得られる。そのため、施工コストの低減が図られるとともに、工期も短縮されるという優れた効果も得られる。
【発明を実施するための最良の形態】
【００２０】
以下、添付図面を参照しながら本発明を実施形態に基づいて説明するが、本発明はかかる実施形態のみに限定されるものではない。
【００２１】
実施形態１
本発明の実施形態１に係る外壁の階間構造（以下、単に階間構造という）の要部を図１に斜視図で示す。
【００２２】
階間構造Ｋは、図１に示すように、階間部Ｍの水切りをなす階間部材１０と、階間部材１０の下部に配設される水切部材２０と、繊維状断熱材３０とを主要構成要素として備えるとともに、繊維状断熱材３０が予め階間部材１０の裏面（室内に面する面、室内側面）に配設されてなるものとされる。
【００２３】
以下、図２〜図１０も参照しながら階間構造Ｋについて説明する。
【００２４】
階間部材１０は、上階の外壁パネルＰ（ＰＵ）と下階の外壁パネルＰ（ＰＳ）との間の階間部Ｍに配設される本体１１と、階間部Ｍのコーナー部に配設されるコーナー部材１８とを含むものとされる。なお、図４中の符号Ｃはモジュール芯を示し、Ｄは外張断熱材を示し、Ｅは外壁面材を示し、Ｆは通気胴縁を示し、Ｇは２次止水ガスケットを示す。
【００２５】
本体１１は複数に分割され、つまり分割体（本体分割体）１２とされ、各分割体１２の端部を、その重ね合わせ方向を一定方向、例えば反時計回り方向として順次重ね合わせて接合することにより本体１１が形成されるようにされている。これにより、従来用いられていた接合部材を不要とでき、部品点数の削減が図られる。なお、この本体分割体１２，１２相互の接合位置は、図示のごとく、竪目地部の２次止水ガスケットＧに隣接する位置とされている。
【００２６】
本体分割体１２は、具体的には、横長鋼板を縦方向に折り曲げ成形してなるものであって、下部に配される第１垂直面１２ａと、上部に配される第２垂直面１２ｂと、両垂直面間に形成された傾斜面１２ｃとからなるものとされ、その縦寸法（高さ）は、階間部Ｍの梁Ｂの上下フランジ間に繊維状断熱材３０が充填できるように調整され、また第１垂直面１２ａと第２垂直面１２ｂとの段差は、第１垂直面１２ａの下端部と下階の外張断熱材（ボード状断熱材）ＤＳ表面（室外側面）との間に水切部材２０の上端部を挟み込んだ状態で、第２垂直面１２ｂが上階の外張断熱材（ボード状断熱材）ＤＵ裏面（室内側面）に当接するよう調整されている。このため、傾斜面１２ｃは、本体分割体１２が取り付けられた状態で、上階の外張断熱材ＤＵの下方に位置するようその位置が調整されている。
【００２７】
本体分割体１２の第１垂直面１２ａ表面（室外側面）の上端部には、２個のバネ材からなるクリップ１３が、そのクリップ部１３ａが第２垂直面１２ｂと協働して上階の外張断熱材ＤＵの下端部をクリップするようにして適宜間隔を設けて取り付けられている。つまり、クリップ１３と第２垂直面１２ｂとにより挟持機構が構成される。
【００２８】
本体分割体１２の裏面（室内側面）中央には、繊維状断熱材３０を保持する帯状の断熱材保持材１４が、裏面に沿わせて取り付けられている。断熱材保持材１４の上端部は、梁Ｂの上フランジの下方に対応する位置から室内側に向けて鉤状に起立させられて鉤状体１４ａとされ、下端部は、梁Ｂの下フランジの上方に対応する位置から室内側に向けて鉤状に起立させられて鉤状体１４ｂとされている。また、各鉤状体１４ａ，１４ｂの先端は鉤爪１４ｃとされている。
【００２９】
また、モジュール芯Ｃを横切って配設される本体分割体１２の裏面の当該モジュール芯Ｃに対応する箇所の下部には、取り付けの際における目印および取り付け高さを確定する目印として機能するとともに、繊維状断熱材３０を受けるＬ字状とされた受け具１５が配設されている。
【００３０】
また、重ね合わせられた状態で上側（室外側）に位置する本体分割体１２Ｕの側端部裏面およびに水切部材２０と重ね合わされる箇所の裏面には、合成樹脂（例えばＥＰＤＭ）からなる止水材が貼付され、本体分割体１２，１２の接合部Ｊの水密が図られている（図１６参照）。
【００３１】
コーナー部材１８は、本体分割体１２と同様に、下部に配される第１垂直面と、上部に配される第２垂直面と、両垂直面間に形成された傾斜面とが形成された鋼板をＬ字状に折り曲げ成形してなるものとされ、階間部Ｍのコーナー部に位置する本体分割体１２，１２の端部を覆うようにして配設される（図１７参照）。本体分割体１２の端部を覆うコーナー部材１８の端部裏面には、合成樹脂からなる止水材が貼付され、本体分割体１２とコーナー部材１８との接合部の水密が図られている。
【００３２】
水切部材２０は、窓などの開口が形成されていない外壁パネルＰＳに対応する階間部Ｍに配設される非開口用水切部材２２と、窓などの開口が形成されている外壁パネルＰＳに対応する階間部Ｍに配設される開口用水切部材２６とを含むものとされる。図５に非開口用水切部材２２を斜視図で示し、図６に開口用水切部材２６を斜視図で示す。
【００３３】
非開口用水切部材２２は、図５および図７〜図９に示すように、横長鋼板を縦方向に変形階段状に折り曲げ成形してなるものであって、下部に配される第１垂直面２２ａと、中間部に配される第２垂直面２２ｂと、上部に配される第３垂直面２２ｃと、第１垂直面２２ａと第２垂直面２２ｂとの間に配される第１水平面２２ｄと、第２垂直面２２ｂと第３垂直面２２ｃとの間に配される第２水平面２２ｅとからなるものとされ、下階の外壁パネルＰＳの通気層に被さる第１水平面２２ｄに適宜数の通気孔２３が形成される。この非開口用水切部材２２は、外壁パネルＰの作製の際に、窓などの開口が設けられていない外壁パネルＰの上端部にセットされる。
【００３４】
第３垂直面２２ｃの高さは、第３垂直面２２ｃ上端が下階の外張断熱材ＤＳ上端から若干下方に位置させられた状態で、第３垂直面２２ｃ下端が本体分割体１２下端から若干突出するよう調整されている。第３垂直面２ｃの上端を下階の外張断熱材ＤＳ上端から若干下方に位置させるのは、外壁パネルＰの据付作業中における非開口用水切部材２２の損傷を避けるとともに、据付け作業の安全性を確保するためである。
【００３５】
第２水平面２２ｅの幅は、第２垂直面２２ｂの通気胴縁Ｆに位置する箇所の裏面に合成樹脂からなる止水材２４が貼付できる最小寸法に調整されている。最小寸法に調整するのは、通気孔２３の総開口面積をできるだけ大きくして通気性能の向上を図るためである。
【００３６】
第２垂直面２２ｂの高さは、第１水平面２２ｃ端部が外壁パネルＰ（ＰＳ）の通気胴縁Ｆ上端に載置されるよう調整されている。また、第２垂直面２２ｂの通気胴縁Ｆに位置する箇所の裏面には、合成樹脂（例えばＥＰＤＭ）からなる止水材２４が貼付されて水密とされている。
【００３７】
第１水平面２２ｄの幅は、第１垂直面２２ａの端部が外壁面材Ｅと通気胴縁Ｆとに挟み込まれるよう調整されている。
【００３８】
開口用水切部材２６は、図６〜図１０に示すように、横長鋼板を縦方向に変形階段状に折り曲げ成形してなるものであって、下部に配される第１垂直面２６ａと、中間部に配される第２垂直面２６ｂと、上部に配される第３垂直面２６ｃと、第１垂直面２６ａと第２垂直面２６ｂとの間に配される第１水平面２６ｄと、第２垂直面２６ｂと第３垂直面２６ｃとの間に配される第２水平面２６ｅとからなるものとされ、下階の外壁パネルＰＳの通気層に被さる第１水平面２６ｄから起立された第２垂直面２６ｄに適宜数の脱湿孔２７が形成される。
【００３９】
脱湿孔２７は、図１０に示すように、第２垂直面２６ｂの中間部上部を部分的に室内側に向けて切り折りしてなるものとされているので、図１１に示すように、下階の外壁パネルＰＳの通気層の通気は阻害されることなく、その一方上階の通気層から落下してくる水滴は第１水平面２６ｄをつたってパネル間目地に導かれる。そのため、所定の通気性能を確保しながら、水滴が窓上に回るのが防止される。
【００４０】
この開口用水切部材２６は、外壁パネルＰの作製の際に、窓などの開口が設けられている外壁パネルＰの上端部にセットされる。なお、開口用水切部材２６のその余の構成は、非開口用水切部材２２と同様とされている。
【００４１】
繊維状断熱材３０は、例えばグラスウールとされ、本体分割体１２の作製後に断熱材保持材１４を利用して工場にて本体分割体１２にセットされる。
【００４２】
次に、図１２〜図１９を参照しながら、かかる構成とされた階間構造Ｋの施工について説明する。
【００４３】
手順１：繊維状断熱材３０がセットされた左側本体分割体１２Ｌを階間部Ｍにセットする。つまり、クリップ１３で上階の外張断熱材ＤＵの下端部をクリップする（図１２参照）とともに、下端部を下階の水切部材（図示例では、非開口用水切部材２２とされている。）２０に当接させた状態で適宜箇所をビス留めする。このセットは、断熱材３０が繊維状とされているので、階間部Ｍに多少の凹凸、例えば梁Ｂにおけるボルト・ナット留め部などが存在しても容易になし得る。なお、受け具１５が設けられている場合、受け具１５中心をモジュール芯Ｃに合わせてセットする。
【００４４】
手順２：繊維状断熱材３０がセットされた右側本体分割体１２Ｒをその左端部を左側本体分割体１２Ｌの右端部に右側本体分割体１２Ｒの左側本体分割体１２Ｌと重ね合わせられた箇所をビス留めして右側本体分割体１２Ｒと左側本体分割体１２Ｌとを接合する（図１４参照）とともに、下端部を下階の水切部材（図示例では、開口用水切部材２６とされている。）２０に当接させた状態で適宜箇所をビス留めする（図１５参照）。つまり、反時計回りで本体分割体１２の接合を行う。
【００４５】
なお、図１６に示すように、右側本体分割体１２Ｒの左側本体分割体１２Ｌと重ね合わせられる箇所の裏面および水切部材２０と当接させられる箇所裏面、ならびに左側本体分割体１２Ｌの水切部材２０と当接させられる箇所裏面には、図中に斜線で示すように合成樹脂からなる止水材が貼付されている。
【００４６】
手順３：コーナー部にコーナー部材１８をセットする。つまり、一方の面（図示例では、南面とされている。）の右側本体分割体１２Ｒの右端部にコーナー部材１８の一端部を重ね合わせる一方、他方の面（図示例では、東面とされている。）の左側本体分割体１２Ｌの左端部にコーナー部材１８の他端部を重ね合わせ、重ね合わされている箇所をビス留めして接合する（図１７参照）。これにより、階間部材１０が形成される。
【００４７】
なお、図１８に示すように、コーナー部材１８の右側本体分割体１２Ｒの右端部と重ね合わせられる箇所の裏面および左側本体分割体１２Ｌの左端部と重ね合わせられる箇所裏面には、図中に斜線で示すように合成樹脂からなる止水材が貼付されている。
【００４８】
手順４：階間部材１０の外側に化粧胴差４０をセットする。このセットは、従来と同様にしてなされる（図１９参照）。なお、図中の符号４１は、シーリング受金物を示す。
【００４９】
これにより、階間構造Ｋの施工が完了する。
【００５０】
このように、この実施形態１によれば、階間部材１０、より具他的には、本体分割体１２に予め繊維状断熱材３０がセットされているので、階間部材１０の取り付け完了と同時に階間部Ｍに断熱材の充填がなし得る。そのため、施工の簡素化および工期の短縮が図られ、コスト低減も図られる。また、右側本体分割体１２Ｒと左側本体分割体１２Ｌとを重ね合わせ、その重ね合わされた箇所をビス留めして接合しているので、個別の接合部材を不要とでき、一層のコスト低減が図られる。
【００５１】
実施形態２
本発明の実施形態２に係る階間構造を図２０および図２１に示す。
【００５２】
実施形態２は実施形態１を改変してなるものであって、階間部ＭにバルコニーからのドレンパイプＱを貫通させるための貫通部を設けるようにした階間構造Ｋ１とされる。なお、実施形態２のその余の構成は実施形態１と同様とされている。
【００５３】
以下、実施形態２の実施形態１と異なる点を中心に説明する。
【００５４】
本体分割体１２は、図２０に示すように、ドレンパイプＱの貫通をガイドするガイドパイプ（ガイド部材）１６が装着されてなるものとされる。
【００５５】
ガイドパイプ１６は、明瞭には図示はされていないが、室内側端部がラッパ状とされてドレンパイプＱの挿通が容易になし得るようにされている。また、ガイドパイプ１６の室外側端部の内側にはドレンパイプＱのシールをなすとともに、化粧胴差４０のドレンパイプＱの貫通部をシールするシール剤４２のバックアップをなす内側シール部材１６ａが装着され、外側には化粧胴差４０のドレンパイプＱの貫通部をシールするシール剤のバックアップをなす外側シール部材１６ｂが装着される。なお、内側シール部材１６ａおよび外側シール部材１６ｂは、施工現場において装着されてもよいが、工場にて予め装着されるのが好ましい。
【００５６】
このように、実施形態２によれば、本体分割体１２にガイドパイプ１６を設けてドレンパイプＱを貫通させるようにしているので、本体分割体１２の基本的形態を変更することなく、ドレンパイプＱなどの貫通がなし得る。そのため、部品点数の無用の増大が回避される。
【００５７】
実施形態３
本発明の実施形態３に係る階間構造を図２２および図２３に示す。
【００５８】
実施形態３は実施形態１を改変してなるものであって、階間部Ｍに換気フード５０を配設してなる階間構造Ｋ２とされる。なお、実施形態３のその余の構成は実施形態１と同様とされている。
【００５９】
以下、実施形態３の実施形態１と異なる点を中心に説明する。
【００６０】
本体分割体１２は、図２２に示すように、防火ダンパー５２を基端に有する換気フード本体５１、および換気フード用開口の上方とされた梁Ｂの上フランジ下方に開口５４ａを有する室内側ダクト５４が装着されてなるものとされる。
【００６１】
本体分割体１２に設けられる換気フード用開口は、防火ダンパー５２の開閉に支障のないよう調整されている。
【００６２】
室内側ダクト５４は、断面が長方形とされた変形Ｌ字状とされ、その底面５４ｂは室内側に向けた上り勾配とされて底面５４ｂが梁Ｂの下フランジと干渉するのが防止されている。また、室内側への張り出しは、防火ダンパー５２の開閉に支障のないよう調整されている。
【００６３】
このように、実施形態３によれば、本体分割体１２に換気フード本体５１を装着するようにしているので、本体分割体１２の基本的形態を変更することなく換気フード５０を設けることができる。そのため、部品点数の無用の増大が回避される。
【００６４】
また、室内側ダクト５４の開口５４ａを換気フード用開口の上方とされた梁Ｂの上フランジ下方に設けているので、換気フード５０から吹き込まれた水滴が室内に進入するのが抑制される。
【産業上の利用可能性】
【００６５】
本発明は、外壁の階間部に適用できる。
【図面の簡単な説明】
【００６６】
【図１】本発明の実施形態１に係る外壁の階間構造の要部斜視図である。
【図２】同階間構造の非開口部の縦方向断面図である。
【図３】同階間構造の開口部の縦方向断面図である。
【図４】外壁構造のモジュール芯回りの水平断面図である。
【図５】本発明の実施形態１に係る外壁の階間構造の非開口用水切部材の斜視図である。
【図６】同階間構造の開口用水切部材の斜視図である。
【図７】図５のＡ−Ａ線断面図である。
【図８】図５および図６のＢ−Ｂ線断面図である。
【図９】図５および図６のＣ−Ｃ線断面図である。
【図１０】図６のＤ−Ｄ線断面図である。
【図１１】脱湿孔の機能説明図である。
【図１２】本発明の実施形態１に係る階間構造の施工手順を示す説明図であって、左側本体分割体を階間部にセットした状態を示す。
【図１３】本発明の実施形態１に係る階間構造の施工手順を示す説明図であって、左側本体分割体に重ね合わせて右側本体分割体を階間部にセットした状態を示す。
【図１４】本発明の実施形態１に係る階間構造の施工手順を示す説明図であって、左側本体分割体と右側本体分割体との重ね合わせ部をビス留めしている状態を示す。
【図１５】本発明の実施形態１に係る階間構造の施工手順を示す説明図であって、右側本体分割体の下端部をビス留めしている状態を示す。
【図１６】本発明の実施形態１に係る階間構造の右側本体分割体および左側本体分割体における止水材の貼付箇所を示す概略図である。
【図１７】本発明の実施形態１に係る階間構造の施工手順を示す説明図であって、コーナー部材をセットしている状態を示す。
【図１８】本発明の実施形態１に係る階間構造のコーナー部材における止水材の貼付箇所を示す概略図である。
【図１９】本発明の実施形態１に係る階間構造の施工手順を示す説明図であって、化粧胴差をセットしている状態を示す。
【図２０】本発明の実施形態２に係る階間構造の縦方向断面図である。
【図２１】図２０のＡ−Ａ線断面図である。
【図２２】本発明の実施形態３に係る階間構造の縦方向断面図である。
【図２３】図２２のＢ−Ｂ線断面図である。
【符号の説明】
【００６７】
１０      階間部材
１１      本体
１２      本体分割体
１３      クリップ
１４      断熱材保持材
１５      受け具
１６      ガイドパイプ
１８      コーナー部材
２０      水切部材
２２      非開口用水切部材
２３      通気孔
２６      開口用水切部材
２７      脱湿孔
３０      繊維状断熱材
４０      化粧胴差
５０      換気フード
５１      換気フード本体
５２      防火ダンパー
５４      室内側ダクト
Ｋ      階間構造
Ｍ      階間部
Ｐ      外壁パネル
Ｄ      外張断熱材
Ｃ      モジュール芯
Ｊ      本体分割体接合部
【図１】
2008144351.tif 000003
【図２】
2008144351.tif 000004
【図３】
2008144351.tif 000005
【図４】
2008144351.tif 000006
【図５】
2008144351.tif 000007
【図６】
2008144351.tif 000008
【図７】
2008144351.tif 000009
【図８】
2008144351.tif 000010
【図９】
2008144351.tif 000011
【図１０】
2008144351.tif 000012
【図１１】
2008144351.tif 000013
【図１２】
2008144351.tif 000014
【図１３】
2008144351.tif 000015
【図１４】
2008144351.tif 000016
【図１５】
2008144351.tif 000017
【図１６】
2008144351.tif 000018
【図１７】
2008144351.tif 000019
【図１８】
2008144351.tif 000020
【図１９】
2008144351.tif 000021
【図２０】
2008144351.tif 000022
【図２１】
2008144351.tif 000023
【図２２】
2008144351.tif 000024
【図２３】
2008144351.tif 000025